(57)【要約】【課題】  バーコードや２次元コードなどから成り、かつ管理情報を含む情報コードを備える腕時計であって、長期にわたって使用しても情報コードが消えることがなく、装着感にも優れ、かつ美観を損ねない腕時計を安価に提供することである。【解決手段】  本発明の情報コードを備える腕時計は、レーザー照射によるマーキングやインクジェットによる印刷によって情報コードが形成された真偽判定シールが、腕時計の外装部品の外表面に貼着された腕時計である。この真偽判定シールは、ホログラム像再生機能を備えるホログラムシールである。ホログラムシールとしては、レインボーホログラムのシールが好ましく、このシールはケース、バンド、あるいは中留の中から選ばれる、少なくとも１つの外装部品における裏側の外表面に貼着される。【選択図】      図３
2005345319.tif 000002
【特許請求の範囲】
【請求項１】
情報コードを備える腕時計であって、
腕時計の外装部品の外表面に貼着された、ホログラム像を備える真偽判定シールと、
この真偽判定シールに形成された情報コードと、
を含む情報コードを備える腕時計。
【請求項２】
請求項１に記載の情報コードを備える腕時計であって、
情報コードは、真偽判定シールにおけるホログラム層と重ならない位置に形成される腕時計。
【請求項３】
請求項１、あるいは２に記載の情報コードを備える腕時計であって、
情報コードは、１次元コードと２次元コードの双方を含む腕時計。
【請求項４】
請求項１から３にいずれか記載の情報コードを備える腕時計であって、
真偽判定シールは、
入射する光を利用してホログラム像を再生可能なホログラム層と、
入射した光を入射光進入方向に帰還させる再帰反射材層と、
腕時計に貼付するための粘着剤層と、
を含み、
ホログラム層と再帰反射材層と粘着剤層とが積層されたシールである腕時計。
【請求項５】
請求項１から４にいずれか記載の情報コードを備える腕時計であって、
ホログラム層は、
白色光を特定方向から特定の角度で照射すると２Ｄ像、及び３Ｄ像のレインボーホログラム像を再生可能で、かつ、レーザー光を特定方向から特定の角度で照射すると、レインボーホログラム像が消えさり、新たなフーリエ変換ホログラム像が再生可能な多重露光型のホログラム層である腕時計。
【請求項６】
請求項１から４にいずれか記載の情報コードを備える腕時計であって、
ホログラム層は、
白色光を特定方向から特定の角度で照射すると２Ｄ像、及び３Ｄ像のレインボーホログラム像を再生可能なレインボーホログラムと、レーザー光を特定方向から特定の角度で照射するとフーリエ変換ホログラム像が再生可能なフーリエ変換ホログラムが積層された腕時計。
【請求項７】
請求項５、あるいは６に記載の情報コードを備える腕時計であって、
再帰反射材層は、
基材上に有色の干渉色を生起する一般式が
Ｌｉ０．５＋ＸＣｏ０．５−Ｘ［Ｌｉ０．５−ＸＣｏＸＴｉ１．５］Ｏ４（０＜Ｘ＜０．１）
で表されるＬｉ−Ｃｏ−Ｔｉ系複合酸化物を被覆した雲母粉体からなる干渉物質層と、
その上に整列配置された透明微小球からなる腕時計。
【請求項８】
請求項１から７にいずれか記載の情報コードを備える腕時計であって、
真偽判定シールは、腕時計から剥離されることにより、ホログラム像が破壊される剥離崩壊機能を備える腕時計。
【請求項９】
請求項８に記載の情報コードを備える腕時計であって、
ホログラム層が、腕時計からの剥離される時に引っ張り方向に延伸する延伸ホログラム層であり、延伸により延伸ホログラム層のホログラムが破壊される真偽判定シールを備える腕時計。
【請求項１０】
請求項８に記載の情報コードを備える腕時計であって、
腕時計からの剥離される時に引っ張り方向に延伸する延伸層がホログラム層と粘着層との間に積層され、延伸層の延伸によってホログラム層が変形することにより、ホログラム層のホログラムが破壊される真偽判定シールを備える腕時計。
【請求項１１】
請求項１から１０のいずれかに記載された情報コードを備える腕時計であって、
ケース、バンド、中留の中から選ばれる、少なくとも１つの外装部品における裏側の外表
面に、真偽判定シールが貼着される腕時計。
【請求項１２】
請求項１１に記載の情報コードを備える腕時計であって、
折り畳み式中留における表カバー、中板、下板の中から選ばれる、少なくとも１つの外装部品における裏側の外表面に、真偽判定シールが貼着される腕時計。
【請求項１３】
請求項１から１２のいずれかに記載の腕時計であって、
外装部品の外表面に形成された凹部内に、真偽判定シールが貼着される腕時計。
【請求項１４】
請求項１３に記載の腕時計であって、
真偽判定シールの外表面が、外装部品の外表面より突出しないように貼着される腕時計。
【請求項１５】
請求項１から１４のいずれかに記載の腕時計であって、
情報コードが、レーザー照射、あるいは印刷により形成される腕時計。
【発明の詳細な説明】
【技術分野】
【０００１】
本発明は、バーコードなどに代表される、光学的リーダーによって読み取り可能な情報コードが付された腕時計、およびその製造方法に関する。
【背景技術】
【０００２】
生産地名、製造者名、商品名などの商品管理情報が記録された情報コードは、すでに広く知られている。このような情報コードは、通常、光学的リーダーによって読み取り可能な形態で用いられる。
たとえば、バーコードのような１次元コードは、このような情報コードの１つである。バーコードには、ＪＡＮ、標準ＩＴＦ，ＣＯＤＥ＝１３８，ＣＯＤＥ＝３９、あるいはＮＷ−７コードなどがあり、それぞれ固有の表示形式を持つ。広く使用されているＪＡＮコードの表示形式は、黒、あるいは白の７本のバーを組み合せて１つの数字を表わす１モジュールを形成する。そして、このモジュールを１３個並べることにより、１３桁の数字が表わされる。この１３桁の数字における最初の２桁は国番号、次の５桁が製造者名、続く５桁が商品名を表わし、最後の１桁は検算用に使用される。
また、近年、情報コードとして、バーコードのような１次元コードより、多くの情報を記録することができる２次元コードも使用されるようになってきている。この２次元コードは、数Ｃｍ四方のスペースに数百文字の情報をコード化して記録することができる。２次元コードとしては、たとえば超高密度パターンとしてバーコードを凝縮して多段化したスタックドバーコード、データコード、あるいはベリコードに代表されるマトリクスコードなどが知られている。
【０００３】
このような１次元コードや２次元コードに代表される情報コードは、たとえばＰＯＳ（Point Of Sales ）と呼ばれる商品管理システムで多用されている。それは、たとえば以下のように運用される。
まず、スーパーマーケット、コンビニエンスストアなどの販売店において、商品を販売した時に、商品に付されているバーコードが、光学的リーダーの１つであるバーコードリーダで読み取られる。バーコードから読み取られた商品管理情報がホストコンピュータに伝送され、商品種別毎の情報が収集される。そして、その収集された情報が、在庫管理、発注管理、あるいは販売管理などに利用される。
このように、ＰＯＳシステムは、店頭における商品物流管理に好適である。
【０００４】
また、情報コードは、メーカーから、商社や問屋などの仲介業者を経て、そして販売店に至るまでの商品の物流管理にも用いられる。
この場合、メーカー、仲介業者、および販売店それぞれにおいて、たとえば商品に付されているバーコードが、バーコードリーダで読み取られる。バーコードから読み取られた商品管理情報がホストコンピュータに伝送されて集積される。そして、メーカー、仲介業者、および販売店それぞれの物流管理者は、ホストコンピュータに接続された端末から、その集積されたデータを見ることができる。これにより、それぞれの物流管理者は、どの商品が、メーカー、仲介業者、および販売店それぞれに、何個存在するのかという物流情報を知る。彼らは、在庫管理、発注管理、あるいは販売管理に、この物流情報を利用できる。
【０００５】
さらに、情報コードは、販売店から顧客に販売された商品に対する、メーカーのアフターサービスにも利用される。
たとえば、販売後に故障した商品がメーカーに戻ってくると、商品に付されているバーコードから、商品管理情報がバーコードリーダで読み取られる。そして、メーカーは、商
品の検査データや不具合データなどの故障履歴データ、あるいは部品交換データなどの修理履歴データを、読み取られた商品管理情報を識別コードとして、ホストコンピュータに集積する。ホストコンピュータに商品の種別ごとに集積された履歴データは、商品の設計部門、製造部門、あるいは販売部門にフィードバックされる。
もし、情報コードに記録された商品管理情報に、個々の商品を識別するシリアル番号などのような個別番号が含まれれば、販売した商品１つごとに、故障履歴データや修理履歴データが管理される。
このアフターサービス管理は、故障した商品が顧客から持ち込まれるメーカーのサービスセンター、あるいは販売店においても、光学的リーダーと、ホストコンピュータと接続された端末とがあれば実施できる。
【０００６】
以上のような物流管理方法を、腕時計の流通に適用するために、腕時計に情報コードを付することも、すでに知られている（たとえば、特許文献１参照）。
特許文献１には、数字とバーコードから構成された情報コードが、腕時計のケースの裏蓋に、直接記録する形態で付されることが記載されている。しかしながら、この特許文献１は、情報コードを記録する方法については何ら開示しない。
【０００７】
他の文献は、情報コードを腕時計に記録する方法についても、様々な手法を提案している（たとえば、特許文献２参照）。
この特許文献２は、自己の身分を証明するＩＤ情報を含むバーコードを、腕時計に直接印刷することを教示する。また、この文献では、バーコードが蝕刻（エッチング）によって直接記録される。
さらに、この文献では、バーコードを印刷した板片が、嵌め合わせ、ねじ止め、あるいは接着によって、腕時計に取り付けられる。このように、情報コードが印刷された、腕時計とは別体の部品を、腕時計に取り付けることによっても、情報コードは腕時計に記録され得る。
【０００８】
【特許文献１】特許２５８４９６３号公報（第１〜６頁、第２図）
【特許文献２】実開平０６−６６３３６号公報（第１〜２頁、第１〜３図）
【発明の開示】
【発明が解決しようとする課題】
【０００９】
しかしながら、腕時計に情報コードを記録するために、上記のような従来手法を採用すると、様々な問題が生じる。それは、腕時計が身体に装着される装身具であることに起因する。
【００１０】
（第１の課題）
たとえば、腕時計の外表面に情報コードが直接印刷されると、腕時計を使用している間に、印刷された情報コードが剥がれたり、擦り切れたりしてしまう。この情報コードの印刷層の摩滅は、印刷層が装着者の肌と擦れ合ったり、衣服と擦れ合ったりするために生じる。この摩滅は、腕時計の使用期間における、かなり早い時期に発生し、情報コードを光学的リーダーで読み取ることを困難、甚だしくは全く不可能にしてしまう。
特に、情報コードが腕時計の裏蓋に印刷された場合、装着者の手首との摺動により、情報コードの摩滅は著しい。また、情報コードを印刷した別体の部品を、腕時計に取り付けても、情報コードの印刷層の摩滅は同様に発生する。
腕時計が顧客に販売される前までの物流管理にとって、腕時計の販売後に発生する情報コードの摩滅は問題とならないだろう。しかしながら、アフターサービス管理にとって、販売後の情報コードの摩滅は極めて大きな問題となる。なぜならば、故障した腕時計の情
報コードが摩滅して、光学的リーダーによって読み取ることができなくなれば、アフターサービス管理もまた、できなくなってしまうためである。
さらに、摩滅により半ば消えかかった情報コードが残存すると、それは汚れのように視認されるため、装身具としての美観が損なわれてしまう。
【００１１】
（第２の課題）
また、従来技術のように、エッチングによって腕時計に情報コードを凹凸状に形成すれば、情報コードが光学的リーダーで読み取れなくなるほどに摩滅する危険性はほとんど無くなる。しかしながら、エッチングによって情報コードを形成するのでは、製造コストが著しく高くなる。
【００１２】
（第３の課題）
そればかりか、腕時計における、装着者の肌と接触する場所に、エッチングによって情報コードを記録すると、腕時計の装着感が悪くなる。特に、裏蓋に凹凸状の情報コードを記録すると、情報コードの凹凸が手首に常に当たって、腕時計の装着感が極めて悪い。甚だしくは、情報コードの凹凸によって、装着者の肌が傷つけられてしまう。
【００１３】
（第４の課題）
また、従来技術では、情報コードを光学的リーダーで読み取りやすくすることのみを考慮して、腕時計における視認されやすい場所に情報コードが付される。
しかしながら、情報コードを腕時計に付するに、いかなる手法を採用しようとも、容易に視認されるように情報コードを付してしまうと、腕時計の高級感や美観が完全に損なわれてしまう。これは、腕時計の装身具としての商品価値を致命的に失わせる。
逆に、腕時計のケース内部などのように、ケースを分解しない限り、全く視認されない場所に情報コードを付すると、情報コードを光学的リーダーで容易に読み取れなくなるという問題が生じる。
【００１４】
本発明は、上述の欠点を解消するものであり、その目的は以下の通りである。
（１）本発明の第１の目的は、上述の欠点を解消し、長期にわたって使用しても情報コードが消えない、情報コードを備える腕時計を提供することである。
（２）本発明の第２の目的は、上述の欠点を解消し、安価に製造される、情報コードを備える腕時計を提供することである。
（３）本発明の第３の目的は、上述の欠点を解消し、装着感に優れた、情報コードを備える腕時計を提供することである。
（４）本発明の第４の目的は、上述の欠点を解消し、美観を損ねず、かつ情報コードを光学的リーダーで容易に読み取ることができる、情報コードを備える腕時計を提供することである。
【課題を解決するための手段】
【００１５】
本発明の情報コードを備える腕時計は、上記目的を達成するため、
「腕時計の外装部品の外表面に貼着された、ホログラム像を備える真偽判定シールと、
この真偽判定シールに形成された情報コードと、を含む」
ものである。
【００１６】
真偽判定シールは、腕時計の真性品と偽造品を判別するために、たとえば腕時計の外装部品である裏蓋の外表面に貼着されるシール部品である。
本発明は、この真偽判定シールの外表面に、たとえばレーザー照射によって、あるいは印刷によって、情報コードを形成する。
真偽判定シールはすでに広く用いられており、腕時計の装飾の一部として、すでに市場で認知されている。よって、この真偽判定シールに情報コードを担持させれば、腕時計の
美観を損なうことなく、情報コードが腕時計に付随できる。
【００１７】
また、本発明では、このように情報コードが記録された真偽判定シールが、腕時計の外装部品の外表面に貼着される。これにより、エッチングやレーザー刻印で、腕時計の外装部品の外表面に直接情報コードを彫り込むことに比べれば、情報コードを備える腕時計が極めて安価に製造される。
【００１８】
このような真偽判定シールとしては、ホログラム像を備えるホログラムシールが好ましい。ホログラムは光の干渉を利用して立体映像を映し出し得るものであり、その製造には多額の費用がかかるばかりか、高度な技術を要する。よって、複写が困難であるために、真性品と偽造品を判別する効果が大きい。かつ、映し出されるホログラム像が、腕時計の美観を向上させる。
特に、ホログラムシールの中でも、白色光で立体映像が再生され、虹のような色彩を放つレインボーホログラムを採用したレインボーホログラムシールは、貼着された腕時計をより美しく装飾するので、さらに好ましい。
【００１９】
このレインボーホログラムとしては、たとえば反射型レインボーホログラムが採用される。反射型レインボーホログラムは、自然光が入射した場合に、その波長に応じた回折角で反射回折光を生じて、虹模様を視認させる。さらに、この反射回折光が虚像位置に結像して立体画像を構成する。
反射型レインボーホログラムは、樹脂層表面に形成された光学的深さ、およびピッチの凹凸から構成されるエンボスホログラムの凹凸に沿って、反射性金属薄膜、あるいは高屈折率透明薄膜を設けて形成される。この薄膜表面にホログラムを保護するための保護層が備えられてもよい。この保護層は、ホログラム像の視認を妨げないように透光性であることが好ましく、透明、あるいは半透明とされる。また、この保護層は、透光性を妨げない範囲で、着色されていてもかまわない。
この金属薄膜としては、アルミニウム、金、銀、銅、錫などが採用される。
透明薄膜としては、酸化珪素、酸化チタン、酸化錫、酸化インジウム、硫化亜鉛、ＩＴＯ（インジウム・スズ・オキサイド）などが採用される。
これらの薄膜は、真空蒸着やスパッタリングなどの乾式めっき法などで被覆される。また、透明保護層としては、周知の様々な透明樹脂が採用される。
【００２０】
情報コードは、１次元コードであっても、２次元コードであっても良い。
この情報コードに記録される情報は、どのような種類のものであってもかまわない。たとえば、情報コードに記録される情報は、腕時計の商品管理情報であってもよい。
この場合、商品管理情報には、腕時計のモデルを識別するモデル識別コード、外装部品識別する外装識別コード、ムーブメントを識別するムーブメント番号、あるいは、生産地名、工場名、ロット番号、注文番号、さらに腕時計１つ１つに一対一対応に付されるシリアル番号などが含まれる。
【００２１】
なお、ここで、外装部品とは、たとえば、風防、ベゼル、レジスターリング、ケース、裏蓋、バンド、中留、あるいはリューズやプッシュボタンなど、計時機能を担うムーブメントを収納し、腕時計としての機能的、あるいは装飾的形態を担う部品群を含む。
また、ここで、外装部品とは、腕時計に付随するタグ、腕時計を収納する装飾袋、腕時計を収納する装飾箱、腕時計を収納して搬送するための送品箱、あるいはこの送品箱を複数個収納した多数個箱なども含む。
【００２２】
また、本発明の情報コードを備える腕時計は、
「情報コードは、真偽判定シールにおけるホログラム層と重ならない位置に形成される」ことが好ましい。
【００２３】
これにより、情報コードとホログラム像とが重ならないので、情報コードが光学的リーダーで容易に読み取られる。かつ、情報コードとホログラム像とが重ならないので、ホログラム像の美観を損ねない。
【００２４】
また、本発明の情報コードを備える腕時計は、
「情報コードは、１次元コードと２次元コードの双方を含む」
ことができる。
【００２５】
これにより、情報コードに記録される情報が、１次元コードによる第１情報と、２次元コードによる第２情報とに類別される。
たとえば、情報コードに記録される商品管理情報のうち、腕時計のモデルを識別するモデル識別コード、外装部品識別する外装識別コード、ムーブメントを識別するムーブメント番号などのように、腕時計自体を特定する情報が、第１情報として真偽判定シールに記録される。そして、生産地名、工場名、ロット番号、注文番号など、生産過程を特定する情報が、第２情報として真偽判定シールに記録される。
第１情報を取得したい場合、１次元コードを読み取り可能な光学的リーダーによって、第１情報が読み取られる。第２情報を取得したい場合、２次元コードを読み取り可能な光学的リーダーによって第２情報が読み取られる。
このように、多くの情報を含む商品管理情報を類別できれば、光学的リーダーの種類を選択することによって、必要な情報のみを読み取ることができるので、さらに商品管理が容易になる。
【００２６】
また、本発明の情報コードを備える腕時計における真偽判定シールは、
「入射する光を利用してホログラム像を再生可能なホログラム層と、
入射した光を入射光進入方向に帰還させる再帰反射材層と、
腕時計に貼付するための粘着剤層と、を含み、
ホログラム層と再帰反射材層と粘着剤層とが積層されたシール」
であることが好ましい。
【００２７】
この真偽判定シールは、粘着剤層に再帰反射材層が積層され、この再帰反射材層にホログラム層が積層される。さらに、ホログラム層の外表面に保護層が積層されても良い。この真偽判定シールは、粘着剤層を介して腕時計の外表面に貼着される。
たとえば、このホログラム層として、ホログラムエンボスを施されたホログラムエンボス層と、金属酸化物を蒸着した反射層とが積層された透明ホログラム樹脂シートが採用される。このホログラム層の外表面部分に、情報コードが形成される。たとえば、ホログラム層の外表面に、ホログラム層を保護するために保護層が積層される。そして、この保護層の外表面に、レーザー照射や印刷によって情報コードが形成される。この保護層としては、たとえばポリエチレンテレフタレートフィルムが採用される。
【００２８】
粘着剤層における粘着剤として適用できる材料としては、たとえば主剤としての弾性体と、粘着付与剤、可塑剤、充填剤等の助剤から構成されるゴム系、アクリル系及びシリコーン系粘着剤が採用される。そして、上記の主剤としての弾性体には、天然ゴム、合成イソプレン、再生ゴム、ＳＢＲゴム、ポリイソプレンゴム、ポリアクリル酸エステル又はその誘導体、スチレン−イソプレン−スチレンゴム、シリコーンゴム、シリコーンレジンなどがある。
また、上記の粘着付与剤には、ロジン系及びロジン誘導体、ポリテルペン樹脂、クロマン−インデン樹脂、石油系樹脂、テルペンフェノール樹脂などがある。
上記の可塑剤としては液状ポリブテン、鉱油、ラノリン、液状ポリイソプレン、液状ポリアクリレートなどがある。
また、必要に応じて体質顔料や無機顔料などの充填剤、さらには、酸化防止剤などの劣化防止剤が添加されてもよい。
【００２９】
また、本発明における真偽判定シールのホログラム層は、どのようなものであってもよいが、たとえば
「白色光を特定方向から特定の角度で照射すると２Ｄ像、及び３Ｄ像のレインボーホログラム像を再生可能で、かつ、レーザー光を特定方向から特定の角度で照射すると、レインボーホログラム像が消えさり、新たなフーリエ変換ホログラム像が再生可能な多重露光型のホログラム層」が採用される。
【００３０】
このレインボーホログラムは、白色光で再生映像を再生可能にするホログラムであり、白色光が照射されたときにはレインボーホログラムとして作用し、白色光下においても映像が再生可能なホログラムである。また、このホログラム層は、再生光照射角度、及び照射方向を変えることによって再生される再生映像が異なる多重露光型であることが好ましく、白色光下では観察できないホログラム再生像がホログラム層に多重露光される。すなわち、ホログラム層はレーザー光を照射したときには、フーリエ変換ホログラムとして作用し、白色光下で再生されていたホログラム像が消え、レーザー光によって新たなホログラム再生像が再生されるように多重露光される。
このホログラム層は、複写が困難であるために、真性品と偽造品を判別する効果が大きい。かつ、このホログラム層は、映し出されるホログラム像が美しいので、腕時計を装飾させるために好適である。
【００３１】
あるいは、本発明における真偽判定シールのホログラム層として、
「白色光を特定方向から特定の角度で照射すると２Ｄ像、及び３Ｄ像のレインボーホログラム像を再生可能なレインボーホログラムと、レーザー光を特定方向から特定の角度で照射するとフーリエ変換ホログラム像が再生可能なフーリエ変換ホログラムが積層された」ホログラム層が採用されてもよい。
このホログラム層も、上記のホログラム層と同様の作用効果を奏する。
【００３２】
また、本発明における真偽判定シールの再帰反射材層は、
「基材上に有色の干渉色を生起する一般式が
Ｌｉ０．５＋ＸＣｏ０．５−Ｘ［Ｌｉ０．５−ＸＣｏＸＴｉ１．５］Ｏ４（０＜Ｘ＜０．１）
で表されるＬｉ−Ｃｏ−Ｔｉ系複合酸化物を被覆した雲母粉体からなる干渉物質層と、
その上に整列配置された透明微小球からなる」
ものが好ましい。
【００３３】
この再帰反射層は、有色の干渉色を生起するＬｉ−Ｃｏ−Ｔｉ系複合酸化物被覆雲母粉体からなる干渉物質層と透明微小球から構成される。
再帰反射層は、基材上に配されたＬｉ２ＣｏＴｉ３Ｏ８被覆雲母と、この被覆雲母の上に整列配置された透明微小球から成る。この基材は、反射性金属板や反射性金属蒸着層などの反射性を有するものばかりでなく、布やフィルムのように反射性を有しないものであってもよい。基材に反射性の無い布やフィルムが採用され得るのは、干渉物質層に用いられたＬｉ２ＣｏＴｉ３Ｏ８被覆雲母粉体が、高い屈折率を有し、十分な光反射性を備えるためである。
透明微小球は、入射してきた光が帰還する際にその帰還光をおおよそ入射光進入方向に帰還させる役割を担う。有色の干渉色を生起する干渉物質層は、光の干渉作用を利用して帰還光に色調を付与する。このため、光の利用効率が極めて高い。
【００３４】
透明微小球を抜けてきた光は、Ｌｉ２ＣｏＴｉ３Ｏ８被覆雲母の被覆層表面及び雲母表
面において反射され、被覆層の層厚による光路差によって干渉を生じる。このためＬｉ２ＣｏＴｉ３Ｏ８の層厚を調整することにより任意の色調を得ることができる。
さらに、干渉色を生じさせる物質は化学的、光学的に安定な無機物質であるＬｉ２ＣｏＴｉ３Ｏ８被覆雲母であるため、耐熱性、耐経時性に優れた再帰反射層が得られる。
この再帰反射層を採用したことにより、干渉物質により多彩な色調が付与し得る。さらに、再帰反射性により、光の入射方向によって干渉物質内での光路差が変化し、干渉物質の呈する色彩が変化してしまうことが防止される。
そして、この再帰反射層は、蛍光灯などの一般的照明や  太陽光線下などの通常の光源から照射された光の下では  再帰反射材中の干渉物質は干渉色を生じない。これは入射してくる光の方向性が一定ではなく、様々な方向から入射してくる光によって、各々の方向から入射した光が  生じる干渉色をお互いに打ち消し合ってしまうためである。このため通常の光の下では、この再帰反射層は、干渉物質層が有する外観色の色調を呈する。
しかし、入射させる光の方向性を一定方向にそろえて照射すると、本発明の干渉物質層は、入射した光の干渉により生じた色彩を呈するようになる。この方向性を一定方向にそろえられた光をここでは直線光と呼ぶこととする。直線光は、光の方向性はそろえられているものの、その波長は様々なものが存在するためレーザー光線とは異なる。
よって、干渉物質層に用いられる干渉物質の外観色と、干渉物質の被覆層の厚さにより調整できる干渉によって呈する色調を異なるものとすることによって、再帰反射層の呈する色調は照射した光によって異なる色調を呈するようになる。
【００３５】
このように、再帰反射層は、通常光下、直線光下で異なる色調を呈するため、直線光を照射することによって呈する色調を調べることで、偽造品、真性品の判別がある程度可能となる。そして一般には通常光下でしか真偽判定シールを観察することはないため、関係者以外のものには、このような光線を照射することによって色調が変わるということはわからない。よって、この再帰反射層は、ホログラムと同様に、真偽を判定する隠し情報として利用される。さらに、再帰反射層を偽造することは難しいので、真偽判定シールのセキュリティーがさらに高められる。
【００３６】
また、本発明の情報コードを備える腕時計における真偽判定シールは、
「腕時計から剥離されることにより、ホログラム像が破壊される剥離崩壊機能を備える」ことが好ましい。
【００３７】
偽造品販売業者の中には、店頭で販売されている腕時計から、あるいは倉庫で保管されている腕時計から、それらに貼着されている真偽判定シールのみを剥離し、その真偽判定シールを偽造品に貼着する者もいる。真偽判定シールが剥離崩壊機能を備えれば、腕時計から剥離されることにより真偽判定シールのホログラム像が破壊される。一度剥離された真偽判定シールは、ホログラム像を映し出さない。よって、腕時計に貼着された真偽判定シールを観察すれば、ホログラム像の有無によって、真偽判定シールが一度剥離されたものか、否かが判別できる。
このように、この剥離崩壊機能によって、真偽判定シールの信頼性が向上すると共に、腕時計の真偽がさらに容易に判別される。
【００３８】
この剥離崩壊機能を備える真偽判定シールは、
「ホログラム層が、腕時計からの剥離される時に引っ張り方向に延伸する延伸ホログラム層であり、延伸により延伸ホログラム層のホログラムが破壊される」シールである。
あるいは、この剥離崩壊機能を備える真偽判定シールは、
「腕時計からの剥離される時に引っ張り方向に延伸する延伸層がホログラム層と粘着層との間に積層され、延伸層の延伸によってホログラム層が変形することにより、ホログラム層のホログラムが破壊される」シールとしてもよい。
【００３９】
この真偽判定シールは、粘着剤層に延伸可能な延伸ホログラム層が積層されたシールである。さらに、ホログラム層の外表面に保護層が積層されても良い。これにより、腕時計から真偽判定シールが剥離される時に、引っ張り方向に延伸ホログラム層が延伸し、延伸ホログラム層のホログラムが破壊される。
あるいは、この真偽判定シールは、粘着剤層に延伸可能な延伸層が積層され、この延伸層にホログラム層が積層されたシールである。さらに、ホログラム層の外表面に保護層が積層されても良い。これにより、腕時計から真偽判定シールが剥離される時に、延伸層が引っ張り方向に延伸し、延伸層の延伸によってホログラム層が変形する。よって、ホログラム層のホログラムが破壊される。
【００４０】
また、情報コードが形成された真偽判定シールは可撓性であることが好ましい。
すると、腕時計の外表面に貼着された真偽判定シールが、腕時計の装着者の手首に柔軟な感触を与える。特に、情報コードがレーザー照射によって形成された凹凸状である場合も、情報コードの凹凸が装着者の手首に接触しようとも、凹凸が柔軟に屈曲するので、装着者の手首に柔軟な感触が与えられる。
【００４１】
また、本発明の情報コードを備える腕時計は、
「ケース、バンド、中留の中から選ばれる、少なくとも１つの外装部品における裏側の外表面に、真偽判定シールが貼着される」
ことが好ましい。
【００４２】
ここで、腕時計における裏側とは、腕時計が手首に装着された状態において、手首と対向する側を言う。
真偽判定シールが外装部品における裏側の外表面に貼着されれば、腕時計の装着者からは真偽判定シールが容易に視認されないので、腕時計の高級感や美観が損なわれない。また、腕時計を分解しなくとも、真偽判定シールの情報コードは光学的リーダーで容易に読み取られる。
時刻確認のために装着者に見られる頻度の多いケースに比べ、バンドや中留の裏側は装着者に見られる頻度が少ない。よって、真偽判定シールは、特にバンドや中留の裏側の外表面に貼着されることが好ましい。
このように、本発明は、美観を損ねず、かつ情報コードを光学的リーダーで容易に読み取ることができる、情報コードを備える腕時計を提供できる。
【００４３】
また、本発明の情報コードを備える腕時計は、
「真偽判定シールが、折り畳み式中留における表カバー、中板、下板の中から選ばれる、少なくとも１つの外装部品における裏側の外表面に貼着されること」
が好ましい。
【００４４】
真偽判定シールが外装部品における表カバー、中板、あるいは下板における裏側の外表面に貼着されれば、腕時計の装着者からは真偽判定シールが容易に視認されないので、腕時計の高級感や美観が損なわれない。 
【００４５】
特に、表カバー、あるいは中板の裏側の外表面に、真偽判定シールが貼着されれば、折り畳み式中留を折り畳んだ状態、すなわち折り畳み式中留を閉じて施錠した状態においては、表カバーの裏側は中板の表側に重ねられ、中板の裏側は下板の表側に重ねられるため、真偽判定シールは装着者から全く視認されない。
よって、真偽判定シールが貼着されようとも、装身具としての腕時計の美観が確実に維持される。
また、この折り畳み式中留を解錠して開けば、表カバーの裏側や中板の裏側が露出するので、これらの箇所に貼着された真偽判定シールもまた露出する。よって、折り畳み式中
留を開くだけで、真偽判定シールの情報コードは光学的リーダーで容易に読み取られる。
【００４６】
また、本発明の情報コードを備える腕時計は、真偽判定シールに、情報コードを覆う透光性の最外層が備えられてもよい。
この場合も、この真偽判定シールの外表面、すなわち粘着材層の無い面に、情報コードが形成される。この情報コードが形成された基材の外表面に、最外層が形成される。
この最外層は、真偽判定シールの情報コードを光学的リーダーで読み取り易くするために、透光性であることが好ましく、透明、あるいは半透明とされる。この最外層を通して光学的リーダーが情報コードを読み取りできるという限定において、この最外層が着色されていてもよい。
【００４７】
このように、真偽判定シールが、情報コードを覆う透光性の最外層を備えれば、真偽判定シールの情報コードは、最外層に保護されて、装着者の肌と擦れ合ったり、衣服と擦れ合ったりすることがない。よって、情報コードの磨耗や磨滅が避けられるので、長期にわたって使用しても情報コードが消えない、情報コードを備える腕時計が提供される。
特に、レーザー照射によって凹凸状に形成された情報コードが採用された場合であっても、最外層に保護されて、情報コードの凹凸が装着者の肌に接触しないので、極めて装着感に優れた、情報コードを備える腕時計が提供される。
【００４８】
また、この場合、透光性の最外層は、真偽判定シールとは別体であり、可撓性のある被覆シートであることが、安価に最外層を形成できるために好ましい。
この場合、この被覆シートは、可撓性であることが好ましく、合成樹脂類、あるいは天然樹脂類から製造される。たとえば、被覆シートの素材として、ポリエチレンやポリプロピレンなどのポリオレフィン樹脂、ポリエステル樹脂、ポリカーボネート樹脂、ポリ塩化ビニルやこれを更に塩素化した塩素化ポリ塩化ビニルなどの塩化ビニル系樹脂などから成るフレキシブルなフィルム、またはシートが採用される。
この被覆シートは、接着や熱圧着などの手法によって、容易に、かつ安価に真偽判定シールに接合され得る。また、真偽判定シールと同様に可撓性であるため、装着者に柔軟な感触を与える。
よって、極めて装着感に優れた、情報コードを備える腕時計が提供される。
【００４９】
また、本発明の情報コードを備える腕時計は、
「これら外装部品の外表面に形成された凹部内に、真偽判定シールが貼着される」ものであってもよい。
すると、真偽判定シールの外縁が、腕時計の装着者の衣服などに引っかかって、真偽判定シールが外装部品より剥離される危険が回避される。よって、長期にわたり使用しても、シート部品が外装部品より剥がれない、情報コードを備える腕時計が提供される。
【００５０】
さらに、この場合、
「真偽判定シールの外表面が、外装部品の外表面より突出しない」ことが好ましい。
ここで、突出しないとは、真偽判定シールの外表面が、外装部品の外表面とほぼ同一平面に位置するか、あるいは、外装部品の外表面より低く、外装部品の内部に向けて引っ込んでいることを言う。
すると、真偽判定シールに意図しない外力が負荷されにくくなるので、真偽判定シールが外装部品より剥離される危険が確実に回避される。
さらに、真偽判定シールの情報コードが、装着者の肌と擦れ合ったり、衣服と擦れ合ったりしにくくなる。よって、長期にわたって使用しても情報コードが消えない、情報コードを備える腕時計が提供される。
また、レーザー照射によって凹凸状に形成された情報コードが採用された場合であっても、情報コードの凹凸が装着者の肌に接触しないので、極めて装着感に優れた、情報コー
ドを備える腕時計が提供される。
【００５１】
また、本発明の情報コードを備える腕時計における真偽判定シールは、
「情報コードが、レーザー照射、あるいは印刷により形成される」
ことが好ましい。
【００５２】
すなわち、本発明においては、レーザー照射によって、真偽判定シールの外表面が部分的に凹状に除去されて、凹凸状を成す情報コードが形成される。情報コードは、１次元コードであっても、２次元コードであっても良い。たとえば、情報コードが１次元コードのバーコードである場合、凹部がバーであろうとも、凸部がバーであろうともかまわない。たとえば、情報コードが２次元コードのマトリクスコードである場合、このコードを構成する最小単位となる矩形状、あるいはドット状であるセルは、凹部であろうとも、凸部であろうともかまわない。
情報コードを真偽判定シールにレーザーマーキングするには、どのようなレーザーマーキング装置が採用されても良い。たとえば、炭酸ガスレーザーが用いられる。あるいは、スキャニング式ＹＡＧレーザーマーキング装置が用いられる。
情報コードが外方に向くように露出した場合、たとえ情報コードが装着者の手首と擦れ合っても、この情報コードは凹凸状に形成されているので、印刷層のように、光学的リーダーで読み取れなくなるほど摩滅しない。このように、本発明の情報コードを備える腕時計は、長期にわたって使用しても情報コードが消えない信頼性を保証する。
また、印刷としては、記録される情報コードの商品管理情報を迅速に変えられるインクジェット方式を用いた印刷が、少量多種生産に対応できるので好ましい。
【００５３】
また、本発明の情報コードを備える腕時計は、以下の手順で製造される。
まず、真偽判定シールと、この真偽判定シールが粘着材層を介して貼着された剥離シートとから成るシール原板における真偽判定シールの外表面の所定位置に情報コードを形成する情報コード形成工程と、
次いで、剥離シートから、情報コードを含む真偽判定シールを剥離して、粘着材層を腕時計に接合することにより、真偽判定シールを腕時計に貼着する真偽判定シール貼着工程と、
から製造される。
この製造方法により、情報コードが記録された真偽判定シールを外装部品の外表面に備える腕時計が、極めて安価に製造される。
【発明の効果】
【００５４】
以上、説明したごとく、本発明は下記の効果を奏する。
（１）本発明は、長期にわたって使用しても情報コードが消えない、情報コードを備える腕時計を提供できる。
（２）本発明は、安価に製造される、情報コードを備える腕時計を提供できる。
（３）本発明は、装着感に優れた、情報コードを備える腕時計を提供できる。
（４）本発明は、美観を損ねず、かつ情報コードを光学的リーダーで容易に読み取ることができる、情報コードを備える腕時計を提供できる。
【発明を実施するための最良の形態】
【００５５】
以下、本発明の最良の実施形態について説明するが、本発明は、これらの実施形態により何ら限定されるものではない。
【実施例１】
【００５６】
図１から図４が参照される。
図１は、 本発明に係わる真偽判定シール１を示す。この真偽判定シール１は、ホログ
ラム像を備え、真偽判定機能を備える機能層２を含む。ほぼ円板状を成す機能層２の下面に粘着剤層から成る接合層３が形成される。
真偽判定シール１の上面に、腕時計の商品管理情報を含む情報コード４が形成される。情報コード４は、真偽判定シール１の上面における矩形のコード形成面に形成された、複数の凹凸として図示される。これら凹凸それぞれがマトリクスコードのセルを構成することによって、情報コード４は、光学的リーダーによって２次元コードとして読み取られる。図１では、便宜のため、斜線を含む矩形として凹部が図示される。
なお、ここで、上下とは、図２における上下方向に準ずる。
【００５７】
図３は、裏側を上向きにした腕時計の部分を示す。
この腕時計は、ケース５を含む。ケース５の裏側に、裏蓋６が配置される。ケース５の両側それぞれには、一対の連結脚からなる連結部５ａが形成される。この連結部５ａそれぞれにバンド７が回転可能に連結される。
この裏蓋６の外表面に、真偽判定シール１が接合層３によって貼着される。
【００５８】
裏側に真偽判定シール１が貼着されたケース５は、図４に詳しく図示される。図４では、ケース５の表側が上を向くように、ケース５の裏側が下を向くように、ケース５の断面が図示される。
ケース５の内部には、時刻表機能を担うムーブメント８が収納される。ムーブメント８の表側に載置された文字板と、文字板の表側に配置された指針が、腕時計の時刻表示部９を構成する。時刻表示部９を覆うように、風防１０がケース５の表側に配置される。
ケース５に固定された裏蓋６の裏側の外表面に、情報コード４が外側を向くように、真偽判定シール１が接合層３によって貼着される。
ここで、表側とは、図面における上側を示し、裏側とは、図面における下側を示す。
【００５９】
真偽判定シール１を備える腕時計は、次のように製造される。この説明には、図５から７が参照される。
（情報コード形成工程）
まず、図５に示されるように、シール原板１００が用意される。このシール原板１００は、剥離シート１１の上面に、複数の機能層２それぞれが接合層３を介して貼着されて構成される。
このシール原板１００における機能層２の外表面、すなわち図における上面に、レーザーが照射される。よって、図６に示されるように、複数の機能層２の外表面に、順次所定の凹部がレーザーマーキングされる。これらの凹部により、２次元コードである情報コード４が、複数の機能層２の外表面に形成される。
結果、図７に示されるように、１枚の剥離シートに、情報コード４を備える真偽判定シール１が複数貼着された、真偽判定シールシート１０１が得られる。
【００６０】
（真偽判定シール貼着工程）
次いで、図３に示されるように、この真偽判定シールシート１０１における剥離シート１１から、真偽判定シール１が剥離されて、接合層３を介して裏蓋６の外表面に貼着される。よって、情報コード４を備える腕時計が完成する。
このように、複数の真偽判定シール１が貼着された真偽判定シールシート１０１を用いると、腕時計に真偽判定シールを貼着する作業が容易になる。
なお、この真偽判定シールシート１０１における剥離シート１１の余白に、真偽判定シール１の情報コード４に含まれる商品管理情報を肉眼で判読可能に記載した商品管理可視情報１１ａが設けられてもよい。すると、作業者は、真偽判定シールと腕時計の対応を間違わずに、真偽判定シールを腕時計に貼着できる。商品管理可視情報１１ａとして、たとえば商品管理情報を肉眼で判読可能に記載した、文字、記号、あるいは絵柄などが採用される。
【００６１】
また、前述の情報コード形成工程において、レーザーマーキングの換わりにインクジェットによる印刷が採用されてもよい。この場合、図８に示されるように、インクジェットによる印刷層によって、機能層２の外表面に情報コード１３が形成される。この印刷による情報コード１３を含む真偽判定シール１２が、前述と同様に、腕時計に貼着される。
【実施例２】
【００６２】
図９と１０が参照される。実施例１と同じ部品には、同じ番号が付される。
この実施例では、裏蓋６の裏側の外表面に凹部６ａが形成される。凹部６ａは、円形の裏蓋６の中央に、裏蓋６と同心円を成すように凹設される。
この凹部６ａの内部に、実施例１と同様に、真偽判定シール１が貼着される。
【００６３】
図１０に参照されるように、裏蓋６の凹部６ａの内部に、情報コード４が外側を向くように、真偽判定シール１が接合層３によって貼着される。真偽判定シール１の外端面、すなわち情報コード４を構成する凸部の外端面が、裏蓋６の外端面と、ほぼ同一平面を成すように、真偽判定シール１は貼着される。
これにより、真偽判定シール１が裏蓋６から剥離される危険が確実に回避される。また、情報コード４が、装着者の肌と擦れ合ったり、衣服と擦れ合ったりしにくくなるので、長期にわたって使用しても情報コード４が消えない。さらに、情報コード４の凹凸が装着者の肌に接触しないので、腕時計の装着感が改善される。
【実施例３】
【００６４】
図１１が参照される。
この実施例では、腕時計のバンドの裏側に、真偽判定シールが貼着される。
バンド１５の裏側が上方を向くように図示される。それぞれのバンドの駒１４が、公知の手段で順次連結され、バンド１５を構成する。いくつかの駒１４における裏側の外表面に、凹部１４ａが形成される。その凹部１４ａの内部に、実施例２と同様に、情報コード４が外側を向くように、真偽判定シール１が接合層３によって貼着される。
このように、複数の真偽判定シール１が貼着されれば、真偽判定シールの数量に比例して、情報コードの量も増える。よって、より多くの商品管理情報が腕時計に付随される。
この実施例では、図中一方の真偽判定シールの情報コードに腕時計自体を特定する情報が記録され、他方の真偽判定シールの情報コードに生産過程を特定する情報が記録される。  
このように、複数の真偽判定シールそれぞれに、異なる種類の商品管理情報が記録されれば、真偽判定シールを選択することによって、必要な情報のみを光学的リーダーによって読み取ることができるので、さらに商品管理が容易になる。
【実施例４】
【００６５】
図１２と１３が参照される。
この実施例では、腕時計の中留の裏側に、真偽判定シールが貼着される。
三つ折れ中留１５は、裏側に開口する枠体である表カバー１６を備える。表カバー１６は、表壁１６ａと、表壁１６ａの縁から裏側に延出して、バンドの幅方向に沿って対向する、２つの側壁１６ｂとを含む。
この表カバー１６の一端に中板１７の一端が回転可能に連結される。この中板１７の他端に、外板１８の一端が回転可能に連結される。表カバー１６、中板１７、および外板１８が、折り畳み可能な三つ折れ中留１５を構成する。
一方のバンド１９は、表カバー１６の他端に回転可能に連結される。また、他方のバンド２０は、外板１８の他端に回転可能に連結される。
【００６６】
三つ折れ中留１５を折り畳んだ状態に維持する錠止装置は、表カバー１６に配置される
プッシュボタン装置２１と、外板１８の表側より突出するロックピン２２を含む。三つ折れ中留１５が折り畳められると、プッシュボタン装置２１がロックピン２２と係合し、表カバー１６と外板１８が錠止される。
【００６７】
中留１５の外板１８における裏側の外表面に、レーザー照射によって形成された情報コード４が外側を向くように、真偽判定シール１が接合層３によって貼着される。真偽判定シール１は、錠止装置を担うロックピン２２と重ならない位置に貼着される。
表カバー１６における表壁１６ａの裏側に、インクジェットで印刷された情報コード１３が外側を向くように、真偽判定シール１２が接合層３によって貼着される。この真偽判定シール１２は、錠止装置を担うプッシュボタン装置２１と重ならない位置に貼着される。
このように、中留１５の錠止装置の作動を妨げないように、真偽判定シール１と１２は、中留１５の錠止装置と重ならない位置に貼着されることが好ましい。
【００６８】
また、表カバー１６の裏側に貼着された真偽判定シール１２は、表壁１６ａと両側壁１６ｂに隠されるので、極めて外方から視認されにくい。さらに、中留１５が折り畳まれて施錠された状態においては、表カバー１６の裏側は中板１７の表側に重ねられるので、真偽判定シール１２は装着者から全く視認されない。このように、表カバー１６の裏側への真偽判定シールの貼着は、腕時計の美観を損なわない。
【００６９】
プッシュボタン装置２１を作動させれば、プッシュボタン装置２１とロックピン２２との係合が解除される。すると、折り畳まれた中留１５が解錠されて、表カバー１６、中板１７、および外板１８が、図示されるように拡開される。
このように、中留を拡開した状態にすれば、これら真偽判定シール１の情報コード４、および真偽判定シール１２の情報コード１３は、光学的リーダーによって容易に読み取られる。
なお、中板１７の裏面に真偽判定シールを貼着してもよい。この場合、中留１５が折り畳まれる際、ロックピン２２を通過させるために、中板１７に穿設された貫通孔１７ａと重ならない位置に真偽判定シールは貼着される。
【実施例５】
【００７０】
図１４と１５が参照される。
この実施例では、実施例４とは別の形態の中留に、真偽判定シールが貼着される。
この実施例における中留は、一方のバンド２４の一端に連結された本体部２５を含む。本体部２５の先端に回転可能に連結された蓋２６に、ロックピン２７が突設される。このロックピン２７と係合するプッシュボタン装置２８が、本体部２５に取り付けられる。
他方のバンド２９の一端に、駒３０が連結される。おおよそＵ字型を成す駒３０の２本の開放端の間を架橋するように架橋ピン３１が取り付けられる。よって、駒３０と架橋ピン３１とが、表裏に貫通した挿通部３２を形成する。
【００７１】
図１５に示されるように、挿通部３２を通過した蓋３２のロックピン２７が、本体部２５内に挿入され、プッシュボタン装置２８と係合する。よって、一方のバンド２４と他方のバンド２９が中留を介して錠止される。
この本大部２５の裏側の外表面に凹部２５ａが凹設される。この凹部２５ａの内部に、情報コード４が外側を向くように、真偽判定シール１が接合層３によって貼着される。
【実施例６】
【００７２】
図１６が参照される。
実施例２と同様に、裏蓋６の凹部６ａの内部に、情報コード４が外側を向くように、真偽判定シール１が接合層３によって貼着される。この真偽判定シール１の外端面、すなわ
ち情報コード４が形成された面の外表面に、情報コード４を覆うように、透光性の最外層４４が積層される。この最外層４４の外端面は、裏蓋６の外端面とほぼ同一平面を成す。
【００７３】
この最外層４４は、透明、あるいは半透明な、可撓性を備える合成樹脂より成る。
この最外層は、真偽判定シール１とは別体の被覆シートとして作成される。この被覆シートは、接着や熱圧着などの手法によって、真偽判定シール１における情報コード４が形成された面の外表面に接合される。最外層４４を備える真偽判定シール１は、実施例１のように、接合層３を介して剥離シートに貼着された状態で保管される。
あるいは、裏蓋６の凹部６ａの内部に貼着された真偽判定シール１に、被覆シートが接合されてもよい。
【００７４】
最外層４４を通して、光学的リーダーが情報コード４を読み取る。よって、この最外層４４は、光学的リーダーによる情報コード４の読み取りを妨げないように、透光性であることが好ましい。たとえば、最外層４４の素材は、透明、あるいは半透明とされる。情報コード４の読み取りを妨げないのであれば、最外層４４が着色されてもかまわない。
【実施例７】
【００７５】
図１７が参照される。
この実施例では、実施例６における真偽判定シール１の代えて、真偽判定シール１２が採用される。裏蓋６の凹部６ａの内部に、情報コード１３が外側を向くように、真偽判定シール１２が接合層３によって貼着される。この真偽判定シール１２の表面に、情報コード１３を覆うように、透光性の最外層３３が積層される。
この他の点は、実施例６と同様に実施される。
【実施例８】
【００７６】
ここでは、上記した実施例に用いられる真偽判定シールが詳しく説明される。
まず、図１８が参照される。
真偽判定シール３７は、ポリエステルから成る透明な保護層３８を含む。この保護層３８の下面に、透明熱可塑性樹脂層３９が設けられる。予め作成したホログラムスタンパーが熱圧されて、この透明熱可塑性樹脂層３９の下面にスタンピングされる。
よって、透明熱可塑性樹脂層３９の下面にホログラム４０が形成されたホログラムフィルムが得られる。
このエンボス面に純度９９．９％のアルミニウム４１が、真空蒸着法によって、５００Åの厚さに被覆される。透明熱可塑性樹脂層３９、ホログラム４０、および反射性金属薄膜であるアルミニウム４１により、反射型レインボーホログラムシートが形成される。さらに、反射型レインボーホログラムシートの下面であるホログラム形成面に、粘着剤層から成る接合層４２が積層される。このようにして真偽判定シール３７が得られる。
この真偽判定シール３７において、反射型レインボーホログラムシートがホログラム層であり、かつ真偽判定機能を備える機能層である。
保護層３８の上面に、レーザー照射によって凹凸状の情報コード４３が形成される。この保護層３８の上面に最外層が積層されてもよい。
また、保護層が省略されて、情報コード４３が透明熱可塑性樹脂層３９の上面に形成されてもよい。この場合、樹脂層３９の上面に最外層が積層されてもよい。
このように作成された真偽判定シールは、実施例１のように、接合層を介して剥離シートに貼着された状態で保管される。
なお、ここで上下とは、図面の上下方向に準ずる。
【００７７】
ホログラムスタンパーを作成するには、たとえば、まずコンピュータなどにより、ホログラムとして浮かび上がらせたい像の干渉図形が作成され、この干渉図形が記録材料に記録される。これにより、記録材料の表面に、凹凸として干渉縞が記録される。この凹凸を
元に、エンボスの型などを作成することで、ホログラムスタンパーが作成される。
【００７８】
次に、第２の真偽判定シールが図１９に図示される。
白色光により再生映像を再生可能なレインボーホログラムとしての干渉縞と、赤色レーザー光によってのみ再生映像を再生可能なフーリエ変換ホログラムとしての干渉縞とが多重に記録された記録材料が、マスターホログラムとして用意される。このマスターホログラムと同様の干渉縞を記録することによってマスターホログラムと同じ再生映像を再生し得るホログラムフィルム４４が作成される。このフィルム４４に金属薄膜として二酸化チタン４５が蒸着されて、透明ホログラムシートが作成される。この透明ホログラムシートがホログラム層を成す。
【００７９】
この透明ホログラムシートは、白色光下では、白色光の中から主に緑色光により再生映像を再生し得るものであり、かつ再生光の照射方向を変えると異なる再生映像が４種類観察し得るホログラムであり、赤色レーザーを照射したときのみ特定の再生映像が１種類観
察し得るホログラムであった。
【００８０】
このように、ホログラム層から浮かび上がるホログラム像は、ホログラムスタンパーで決定される。このホログラム層は、複数のホログラム像の干渉縞を多重露光させておくことにより、白色光が特定方向から特定の角度で照射されると、２Ｄ像、及び３Ｄ像がレインボーホログラム像として再生可能であり、レーザー光が特定方向から特定の角度で照射されると、記録物のフーリエ変換パターンによって形成された干渉縞によって可視像が再生可能な多重露光型透明ホログラム層である。  
なお、ここで、ホログラム層が再生し得る２Ｄ像とは、紙面上に描かれたような平面上の映像を意味するのではなく、ホログラム層平面より飛び出して空間上に平面図形が見える立体平面映像を意味し、３Ｄ像とはホログラム層平面より飛び出して空間上に見える立体映像を意味する。
また、レインボーホログラム像を再生させるレインボーホログラムと、レーザー光が特定方向から特定の角度で照射されると記録物のフーリエ変換パターンによって形成された干渉縞によって可視像が再生可能なフーリエ変換ホログラムとが積層されて、ホログラム層が形成されてもよい。
【００８１】
続いて、白色のアクリル繊維による布を基材４６が用意される。
この上にＬｉ２ＣｏＴｉ３Ｏ８被覆雲母をアクリル樹脂溶液と混合した透明着色スクリーン印刷用インキが、スクリーン印刷によって印刷される。よって、基材４６の上に、干渉物質層４７が形成される。この干渉物質層４７の上に、屈折率が１．９で２００〜２５０メッシュの透明性ガラス微粒子４８が透明微小球として散布される。透明性ガラス微粒子４８は、その半球以上が埋没しないように、一重に整列配置されて付着乾燥される。よって、再帰反射層４９が作成される。
この再帰反射層４９は、通常光のもとで、緑〜青の外観色を呈し、直線光のもとで赤〜紫色の干渉色を呈するものであった。
【００８２】
それぞれ上述したように別々に製造された透明ホログラムシートと再帰反射層を積層して偽造防止粘着シールが製造される。
まず、所定の剥離シート上に粘着剤層５０が設けられ、粘着剤層５０の上に再帰反射層４９の基材側が固定される。そして固定された再帰反射層４９の透明微小球上全面にシリコーン樹脂溶液が塗布され、その樹脂が流れない程度に乾燥した状態で透明ホログラムシートが固定される。さらに、このホログラムシートを保護する保護層として、ポリエチレンテレフタレートフィルム５１が、ホログラムフィルム４４の上に固定される。よって、真偽判定シールが得られる。
この真偽判定シールにおいて、二酸化チタン４５の金属層を備えるホログラムフィルム
４４と再帰反射層４９とが真偽判定機能を備える機能層を構成する。
保護層であるポリエチレンテレフタレートフィルム５１の上面に、レーザー照射によって凹凸状の情報コード５２が形成される。このフィルム５１の上面に最外層が積層されてもよい。
また、保護層であるフィルム５１が省略されて、情報コード５２がフィルム５１の上面に形成されてもよい。この場合、フィルム５１の上面に最外層が積層されてもよい。
このように作成された真偽判定シールは、実施例１のように、接合層を介して剥離シートに貼着された状態で保管される。
【００８３】
得られたシールを腕時計に貼付し観察したところ、白色光の元で、ホログラム像が再生されない状態で光線が入射しているときには、再帰反射層の干渉物質の呈する緑〜青色の色調が観察された。腕時計を傾け白色光の入射方向及び、入射角度を変えて行くと、レインボーホログラム特有の虹色の反射光と共に、緑色光によって再生された再生映像が観察された。さらにいろいろな角度及び方向から白色光を入射させると、透明ホログラムには異なる再生映像が観察できた。
また、この真偽判定シールは、透明ホログラムの再生映像を再生し得る光の波長が再帰反射層の外観色の呈する色調の光の波長とほぼ同じであるため、非常に鮮明な再生像を得ることができた。
【００８４】
しかし、白色光をどのような角度、及び方向から入射させてもレーザー光によってのみ再生し得るの再生映像は再生することができず、透明ホログラムにレーザー光によって再生し得るホログラム映像が存在することを知らなければ、その存在を確認する手段は何もなかった。またこの白色光は、直線光でなかったため再帰反射層の色調も干渉物質の外観色を呈しており、干渉色を呈することはなかった。
【００８５】
ところが、赤色のレーザー光を照射すると、白色光により再生されていた再生映像は消滅した。これは、透明ホログラムシートは白色光の中から特定の波長光を選択して再生映像を再生しているのであるが、レーザー光は照射する光に存在する波長幅が非常に狭く、透明ホログラムシートの再生像を再生するのに必要な波長を含んでいないためである。さらにレーザーの照射方向、及び照射角度を変えて行くと、透明ホログラムがフーリエ変換ホログラムとして作用し、白色光下では観察できなかった新たな再生映像がくっきりと観察された。
【００８６】
なお、上記の真偽判定シールでは、白色光下で再生し得るホログラム干渉縞と、レーザー光下で再生されるホログラム干渉縞とを、一枚の透明ホログラムに記録したものを用いたが、白色光下で再生し得るホログラムとレーザー光下で再生されるホログラムを別々に備え、これらを積層したものであってもよい。
さらには、白色光下で再生し得るホログラムシートを複数枚積層し、そこにさらにレーザー光下で再生されるホログラムシートを積層したものであってもよい。ただしこのように複数のホログラムを積層して用いる場合には、ホログラム像がシール中に再生されないようにしなければならない。
【００８７】
また、このように複数のホログラムを積層する場合には、それぞれのホログラムが独自に反射層を有してもよいし、最下層ホログラムにのみすべてのホログラムに反射層として作用する反射層を設けてもよい。ただしそれぞれのホログラムが独自に反射層を有する場合には反射層に金属酸化物を用いた透明ホログラムであることが必要である。
【００８８】
次に、第３の真偽判定シールが図２０に図示される。
図１８に示された真偽判定シール３７と同じ部分には、同じ番号が付される。この真偽判定シールは剥離崩壊機能を備える。
図２０に図示される第３の真偽判定シール５３は、延伸層５４にホログラム４０とアルミニウム４１が形成される。ホログラム４０とアルミニウム４１とが形成された延伸層５４が、ホログラム層、ここでは延伸ホログラム層を構成する。これはホログラムによる真偽判定機能を担う機能層でもある。真偽判定シール５３における他の部分は、真偽判定シール３７と同じに構成される。
【００８９】
腕時計から真偽判定シール５３が剥離される時に、引っ張り方向に延伸ホログラム層が延伸し、延伸ホログラム層のホログラム４０が変形され、あるいは破断される。
延伸層として、ポリウレタン樹脂、ポリエチレン樹脂、ポリプロピレン樹脂、ポリ塩化ビニル樹脂、ポリ塩化ビニリデン樹脂、シリコーン樹脂などが採用される。特に、延伸層に必要とされる、適度な伸びやすさ、あるいは引張強度から、ポリウレタン樹脂が特に好適である。
この延伸層は単一構造でも多層構造でもよい。また、必要に応じてこの延伸層に硬化剤が添加され、延伸層の強度・伸びが調整される。また、延伸層として用いる樹脂中に、顔料、染料などが添加されれば、延伸層が着色される。
【００９０】
次に、第４の真偽判定シールが図２１に図示される。
図１８に示された真偽判定シール３７と同じ部分には、同じ番号が付される。図２０に示された真偽判定シール５３と同じ部分には、同じ番号が付される。この真偽判定シールもまた、剥離崩壊機能を備える。
図２１に図示される第４の真偽判定シール５５において、ホログラム４０とアルミニウム４１とが形成された透明熱可塑性樹脂層３９がホログラム層を構成する。このホログラム層と、粘着剤層から成る接合層４２との間に、延伸層５６が積層される。真偽判定シール５５における他の部分は、真偽判定シール３７と同じである。
腕時計から真偽判定シールが剥離される時に、延伸層５６が引っ張り方向に延伸し、延伸層の延伸によってホログラム層が変形する。よって、ホログラム層のホログラムが破壊される。
【００９１】
次に、第５の真偽判定シールの平面図が図２２に図示される。
図２２に示された円板状の真偽判定シール５７における中央部分に、ホログラム像が再生されるホログラム像再生領域５８が形成される。真偽判定シール５７における外縁より内側であって、ホログラム像再生領域５８より外側に位置する外周範囲に、情報コードが形成される。この情報コードは、２次元コード５９、その他の２次元コード６０を含む。さらに、情報コードは、１次元コード６１、その他の１次元コード６２を含む。
それぞれの情報コード５９、６０、６１、６２は、互いに重ならないように、かつ再ホログラム像再生領域５８と重ならないように配置される。
【００９２】
このように、情報コードは、ホログラム像再生領域５８を避けて配置されるので、再生されるホログラム像と重ならないので、情報コードが光学的リーダーで容易に読み取られる。情報コードによってホログラム像の美観が損なわれない。
また、情報コードに記録される情報が、１次元コード６１と６２による第１情報と、２次元コード５９と６０による第２情報とに類別される。さらに、第１情報に記録される情報も、１次元コード６１と６２とに類別される。同じく、第２情報に記録される情報も、２次元コード５９と６０とに類別される。
このように、商品管理情報が体系的に類別して含情報コード５９、６０、６１、６２に記録されれば、必要な情報のみを読み取ることにより、さらに商品管理が容易になる。
【図面の簡単な説明】
【００９３】
【図１】本発明に係わる真偽判定シールを示す平面図である。
【図２】本発明に係わる真偽判定シールを示す断面図である。
【図３】本発明の実施例１における腕時計のケースを示す斜視図である。
【図４】本発明の実施例１における腕時計のケースを示す断面図である。
【図５】本発明に係わるシール原板を示す断面図である。
【図６】本発明に係わる真偽判定シールシート示す断面図である。
【図７】本発明に係わる真偽判定シールシート示す平面図である。
【図８】本発明に係わる別の真偽判定シールシート示す断面図である。
【図９】本発明の実施例２における腕時計のケースを示す斜視図である。
【図１０】本発明の実施例２における腕時計のケースを示す断面図である。
【図１１】本発明の実施例３における腕時計のバンドを示す斜視図である。
【図１２】本発明の実施例４における腕時計の中留を示す斜視図である。
【図１３】本発明の実施例４における腕時計の中留を示す断面図である。
【図１４】本発明の実施例５における別の中留を示す斜視図である。
【図１５】本発明の実施例５における別の中留を示す断面図である。
【図１６】本発明の実施例６における腕時計の裏蓋を示す断面図である。
【図１７】本発明の実施例７における腕時計の裏蓋を示す断面図である。
【図１８】本発明の実施例８における真偽判定シールを示す断面図である。
【図１９】本発明における第２の真偽判定シールを示す断面図である。
【図２０】本発明における第３の真偽判定シールを示す断面図である。
【図２１】本発明における第４の真偽判定シールを示す断面図である。
【図２２】本発明における第５の真偽判定シールを示す断面図である。
【符号の説明】
【００９４】
１  真偽判定シール
２  機能層
３  接合層
４  情報コード
５  ケース
６  裏蓋
６ａ  凹部
７  バンド
８  ムーブメント
９  時刻表示部
１０  風防
１１  剥離シート
１２  真偽判定シール
１３  情報コード
１４  駒
１４ａ  凹部
１５  バンド
１６  表カバー
１７  中板
１８  外板
１９  一方のバンド
２０  他方のバンド
２１  プッシュボタン装置
２２  ロックピン
２３  三つ折れ中留
２４  一方のバンド
２５  本体部
２５ａ  凹部
２６  蓋
２７  ロックピン
２８  プッシュボタン装置
２９  他方のバンド
３０  駒
３１  架橋ピン
３２  挿通部
３３  最外層
３７  真偽判定シール
３８  保護層
３９  透明熱可塑性樹脂層
４０  ホログラム
４１  アルミニウム
４２  接合層
４３  情報コード
４４  ホログラムフィルム
４５  二酸化チタン
４６  基材
４７  干渉物質層
４８  透明性ガラス微粒子
４９  再帰反射層
５０  粘着剤層
５１  ポリエチレンテレフタレートフィルム
５２  情報コード
５３  真偽判定シール
５４  延伸層
５５  真偽判定シール
５６  延伸層
５７  真偽判定シール
５８  ホログラム像再生領域
５９  ２次元コード
６０  他の２次元コード
６１  １次元コード
６２  他の１次元コード
１００  シール原板
１０１  真偽判定シールシート
【図１】
2005345319.tif 000003
【図２】
2005345319.tif 000004
【図３】
2005345319.tif 000005
【図４】
2005345319.tif 000006
【図５】
2005345319.tif 000007
【図６】
2005345319.tif 000008
【図７】
2005345319.tif 000009
【図８】
2005345319.tif 000010
【図９】
2005345319.tif 000011
【図１０】
2005345319.tif 000012
【図１１】
2005345319.tif 000013
【図１２】
2005345319.tif 000014
【図１３】
2005345319.tif 000015
【図１４】
2005345319.tif 000016
【図１５】
2005345319.tif 000017
【図１６】
2005345319.tif 000018
【図１７】
2005345319.tif 000019
【図１８】
2005345319.tif 000020
【図１９】
2005345319.tif 000021
【図２０】
2005345319.tif 000022
【図２１】
2005345319.tif 000023
【図２２】
2005345319.tif 000024